(57)【特許請求の範囲】
【請求項１】
吸込口と吹出口との間にファンを内装した装置本体の吸込口あるいは吹出口のいずれか一方の開口部に、扁平箱状に形成された薬剤保持体を係脱可能に設置し、
薬剤保持体は、
上記装置本体の一方の開口部に対向して開口される一方の通気孔と、外気側へ開放される他方の通気孔とが上記装置本体の開口部の空気の流れ方向に対して屈曲する空気流路を形成するようにして設けられ、
この空気流路内に、揮散性薬剤が、この薬剤保持体の長手方向に空気が流れるようにして収納され、さらに上記薬剤保持体に設けた通気孔の開口面積比を、薬剤保持体内へ空気が流入する方の通気孔の開口面積を、空気が流出する方の通気孔の開口面積より小さくしたことを特徴とする揮散性薬剤の送風放散装置。
【請求項２】
薬剤保持体の装置本体側に対向する方の通気孔を有する部分を筒状に形成し、この筒状部を装置本体に係脱可能に嵌合したことを特徴とする請求項１記載の揮散性薬剤の送風放散装置。
【請求項３】
薬剤保持体の長手方向に対向する壁面のそれぞれに通気孔を設け、通気孔を有する一方の壁面が上記装置本体のいずれか一方の開口部に直交方向に対向するようにしたことを特徴とする請求項１記載の揮散性薬剤の送風放散装置。
【請求項４】
薬剤保持体を、装置本体の吸込口あるいは吹出口のいずれか一方の開口面に対してこれの開口面積を変える方向に摺動可能に係合し、これの一端にて吸込口あるいは吹出口のいずれか一方の開口面積を変えるようにしたことを特徴とする請求項１記載の揮散性薬剤の送風放散装置。
【請求項５】
薬剤保持体の装置本体の開口部に対向する通気孔を設けた部分を、他方の通気孔を設けた面に対して直交方向に屈曲状にし、この屈曲部を装置本体の開口部に係脱可能に係合したことを特徴とする請求項１記載の揮散性薬剤の送風放散装置。
【請求項６】
薬剤保持体の装置本体の開口部に対向する通気孔を設けた部分を空間を介して装置本体の開口部と直交方向に屈曲状に連通し、薬剤保持体内に挿入する揮散性薬剤を略板状に形成し、この揮散性薬剤の厚さ方向の少なくとも一面側に薬剤保持体内を通る空気が流れるようにしたことを特徴とする請求項１記載の揮散性薬剤の送風放散装置。
【請求項７】
薬剤保持体を設置する装置本体の開口部外側に空間を設け、この空間を介して薬剤保持体の通気孔を連通させたことを特徴とする請求項１記載の揮散性薬剤の送風放散装置。
【発明の詳細な説明】
【０００１】
【発明の属する技術分野】
本発明は、ファンを用いて芳香、消臭、除菌、殺虫、害虫忌避等の目的に供する揮散性薬剤を気中に放散して快適な生活空間をつくることができるようにした揮散性薬剤の送風放散装置に関するものである。
【０００２】
【従来の技術】
従来、ファンを用いて芳香剤、殺虫剤等の揮散性薬剤を放散するようにした送風放散装置は、装置本体内にファン、モータ、電池の収納のほかに、揮散性薬剤を収納するようになっている。そしてこの種の装置としては更なる普及に向けて小型化される傾向にあり、この小型タイプとして、カセット式にした着脱型の薬剤保持体を備えた送風放散装置が市販されている。
【０００３】
図１２（ａ）はこの従来の着脱型の薬剤保持体を用いた従来の送風放散装置の一例を示すもので、図中１は装置本体で、これにファン２、モータ３、電池４が内装してある。そしてこれのファン２はシロッコ型（軸流型もある）で、軸方向から空気を吸引して軸直角方向に空気を放出する構成となっており、装置本体１のファン２の軸方向に向けて吸込口５が、またファン２の円周方向に向けて吹出口６が設けてある。
【０００４】
上記吸込口５の外側に、扁平箱状に形成された薬剤保持体７を、ファン２の軸方向に対して直角方向から搬入可能にした薬剤収納室８が装置本体１と一体状に設けてある。そしてこの薬剤収納室８の外壁で上記吸込口５と対向する部分に外気流入口９が開口されている。
【０００５】
薬剤保持体７は厚み方向（短手方向）の両側壁に通気孔１０を有する扁平箱状に形成されており、これの内部に揮散性薬剤を含浸した薬剤担持体１１が収納されている。
【０００６】
しかして、この従来の送風放散装置にあっては、ファン２の回転による風の流れは、装置本体１の外気流入口９から流入された外気が薬剤保持体７をこれの短手方向に貫通して揮散薬剤と共に吸込口５より装置本体１内に吸い込まれ、吹出口６より外方へ放散されるようになっている。
【０００７】
なお図１２（ｂ）は上記従来の装置に用いられる薬剤保持体の他例を示すもので、この薬剤保持体７ａは多数の孔１０ａを有する樹脂製ネットに揮散性薬剤を塗布した構成になっていて、これも略全面にわたって厚さ方向に空気が貫流し、この空気と共に揮散薬剤が放散するようになっている。
【０００８】
【発明が解決しようとする課題】
上記従来の送風放散装置では上記したように、薬剤収納室８内に収納した薬剤保持体７，７ａの厚さ方向に、すなわち短手方向の経路に風が通るようになっていることにより、この薬剤保持体７，７ａに収納あるいは塗布された揮散性薬剤が、これの全量にわたって効率よく揮散させるために、この薬剤保持体７，７ａの厚さ方向の両面のそれぞれの略全面にわたって通気孔１０，１０ａが設けられていると共に、装置本体１の吸込口５及び外気吸込口９の双方も、上記薬剤保持体７の各面になるべく広く対向するように大きくとられている。
【０００９】
このため、薬剤収納室８内に収納された薬剤保持体７，７ａは殆ど開放形態となり、ファン２が停止している不使用時にあっても、内部の揮散性薬剤は多量に自然に揮散される状態になっている。
【００１０】
このように、従来の送風放散装置では、不使用時にあっても揮散性薬剤の揮散が行われるため不経済であり、特に香料などの揮散性の高い薬剤を使用する場合、不使用時の自然下で多くの薬剤が揮散してしまい、不使用状態が長い場合には、使用可能時間が短くなってしまうという問題があった。
【００１１】
また、図１２（ａ）に示した従来のものにあっては、上記した問題のほかに、薬剤保持体７の大きさが、ファン２の大きさ、例えばファン２の回転直径によって制限されて、これを大きくして多量の薬剤を保持することが難しいという問題があった。
【００１２】
さらに、ファン２が薬剤保持体７に近接した位置に配置されていると共に、このファン２による気流が薬剤保持体７の厚さ方向（短手方向）に通過することにより、薬剤保持体７からの、安定かつ均一な薬剤量の放散が難しく、放散薬剤量をコントロールすることが難しく、特に芳香剤等の揮散しやすい薬剤は短時間に放散され、持続効果が期待できなかった。
【００１３】
本発明は上記のことに鑑みなされたもので、装置本体に装着した状態での不使用時における薬剤の揮散を抑制することができ、不使用時における薬剤の無駄な揮散が防止され、薬剤保持体の実使用時間を長くとることができるようにすると共に、ファンの大きさに関係なく多量の薬剤を保持することができ、さらに薬剤保持体内の薬剤の放散をバラツキがなく、かつ均一な薬剤量の放散を行うことができるようにした揮散性薬剤の送風放散装置を提供することを目的とするものである。
【００１４】
【課題を解決するための手段】
上記目的を達成するために、本発明の請求項１に係る揮散性薬剤の送風放散装置は、吸込口と吹出口との間にファンを内装した装置本体の吸込口あるいは吹出口のいずれか一方の開口部に、扁平箱状に形成された薬剤保持体を係脱可能に設置し、薬剤保持体は、上記装置本体の一方の開口部に対向して開口される一方の通気孔と、外気側へ開放される他方の通気孔とが上記装置本体の開口部の空気の流れ方向に対して屈曲する空気流路を形成するようにして設けられ、この空気流路内に、揮散性薬剤が、この薬剤保持体の長手方向に空気が流れるようにして収納され、さらに上記薬剤保持体に設けた通気孔の開口面積比を、薬剤保持体内へ空気が流入する方の通気孔の開口面積を、空気が流出する方の通気孔の開口面積より小さくした構成になっている。
【００１５】
また、請求項２に係る揮散性薬剤の送風放散装置は、上記請求項１に係る装置において、薬剤保持体の装置本体側に対向する方の通気孔を有する部分を筒状に形成し、この筒状部を装置本体に係脱可能に嵌合した構成になっている。
【００１６】
そして、請求項３に係る揮散性薬剤の送風放散装置は、上記請求項１に係る装置において、薬剤保持体の長手方向に対向する壁面のそれぞれに通気孔を設け、通気孔を有する一方の壁面が上記装置本体のいずれか一方の開口部に直交方向に対向するようにした構成になっている。
【００１７】
また、請求項４に係る揮散性薬剤の送風放散装置は、請求項１に係る装置において、薬剤保持体を、装置本体の吸込口あるいは吹出口のいずれか一方の開口面に対してこれの開口面積を変える方向に摺動可能に係合し、これの一端にて吸込口あるいは吹出口のいずれか一方の開口面積を変えるようにした構成になっている。
【００１８】
そして、請求項５に係る揮散性薬剤の送風放散装置は、薬剤保持体の装置本体の開口部に対向する通気孔を設けた部分を、他方の通気孔を設けた面に対して直交方向に屈曲状にし、この屈曲部を装置本体の開口部に係脱可能に係合した請求項１に係る装置において、構成になっている。
【００１９】
また、本発明の請求項６に係る揮散性薬剤の送風放散装置は、請求項１に係る装置において、薬剤保持体の装置本体の開口部に対向する通気孔を設けた部分を空間を介して装置本体の開口部と直交方向に屈曲状に連通し、薬剤保持体内に挿入する揮散性薬剤を略板状に形成し、この揮散性薬剤の厚さ方向の少なくとも一面側に薬剤保持体内を通る空気が流れるようにした構成になっている。
【００２０】
さらに、本発明の請求項７に係る揮散性薬剤の送風放散装置は、請求項１に係る装置において、薬剤保持体を設置する装置本体の開口部外側に空間を設け、この空間を介して薬剤保持体の通気孔を連通させた構成になっている。
【００２３】
【作用】
ファンの回転より薬剤保持体内に、あるいは薬剤保持体の側面に沿って空気流が生じ、この空気流に薬剤保持体内の揮散性薬剤が揮散して放散される。このとき、空気流は、この薬剤保持体の長手方向に流れ、薬剤保持体の厚さ寸法より長い経路にわたって流れる。そして各薬剤保持体は装置本体に対して任意に係脱することができる。また、薬剤保持体へ空気が流入する通気口の方が流出する方の通気口より開口面積が小さいことにより、流入側の通気口から流入される外気が薬剤保持体内を充満傾向で流れて、薬剤保持体内の全域に気流が行きわたり、薬剤は均一に、かつ効率的に放散される。
【００２４】
また、薬剤設置個所とファンとの間に空間を設けた装置にあっては、薬剤設置個所を経由した流入する空気流は気流緩衝用の空間内において流れが緩和され、薬剤設置個所に設置された薬剤保持体から揮散された薬剤はバラツキが生じることなく均一になって吹出口より放散される。
【００２５】
【発明の実施の形態】
本発明の実施の形態を図１から図１１に基づいて説明する。なお、この実施の形態において、図１２にて示した従来の装置のものと同一構成部材は同一符号を付して説明する。
【００２６】
図１（ａ），（ｂ）は第１の実施例を示すもので、この図１において、１５は装置本体であり、この中にファン２、モータ３、電池４が内装してある。そしてファン２の軸方向に対向する位置に大きな開口面積の吸込口５が、またファン２の円周面に対向する位置に吹出口６が設けてある。吸込口５には格子等のファン防御部材を設けてもよい。そして吸込口５の外側に薬剤保持体１６を挿入する薬剤収納室１７が一体状に設けてある。
【００２７】
この薬剤収納室１７は上側を開放した扁平箱状に形成された空間となっており、この薬剤収納室１７の開放部１８から吸込口５に至る空間はＬ字状に屈曲されている。
【００２８】
上記薬剤保持体１６は薬剤収納室１７に、これの開放部１８より出し入れ可能に挿入されるようになっている。そしてこの薬剤保持体１６は中空の扁平箱状に形成されていてその内部に薬剤担持体１１が収納してある。この薬剤保持体１６の上端面には複数の流入側の通気孔１９が、また一側面で、かつ装置本体１５の吸込口５に対向する位置には複数の流出側の通気孔２０が設けてある。そして、この両通気孔１９，２０のそれぞれの全体の開口面積比は、流入側の通気孔１９側の方が小さくなっている。
【００２９】
上記各通気孔１９，２０のそれぞれの大きさは、自然状態下で揮散する薬剤の流出を抑制するために、薬剤の放出量に支障がでない範囲で、孔幅を狭くしたり、または、全通気孔面積を小さくすることが望ましい。
【００３０】
また、流出側の各通気孔２０全体の方が流入側の各通気孔１９全体よりその開口面積比が大きいことにより、流入気流が薬剤保持体１６内を充満傾向で流れて、薬剤保持体１６の全域に気流が行きわたり、薬剤を均一に、かつ効率的に放出することができる。
【００３１】
一方、流出側の複数の通気孔２０のそれぞれの大きさについては、極端に狭く、または小さくすると薬剤を吹出す風量が得られない。また、この実施例では、この吹出側の各通気口２０は装置内部に位置し、空気移動が殆どなく、薬剤の吹出しへの影響が少ないことから、これを極端に狭くしたり、小さくする必要がない。
【００３２】
上記流入側の通気孔１９のそれぞれの孔幅は１〜２０ｍｍの範囲、好ましくは２〜１０ｍｍの範囲である。この通気孔１９の孔幅が１ｍｍ未満の場合、薬剤の流出量が少なく、効果が発揮されない。逆に孔幅が大きいと、薬剤の吹出しには支障がないが、自然状態下で揮散する薬剤の流出が２０ｍｍ以上になると激しくなる。
【００３３】
また、上記流入側の複数個の通気孔１９の全体の開口面積は、薬剤保持体１６の大きさによって多少異なるが、通気孔幅が１〜２０ｍｍの範囲内で、薬剤保持体１６の体積５０ｃｍ３当たり、１．２５〜１０．０ｃｍ２の範囲が好ましい。この範囲内であれば、薬剤の放出が効率的に行われ、また、揮散した薬剤の流出を抑制することができる。
【００３４】
そしてこの薬剤保持体１６の各通気孔１９，２０の形状は特に限定されず、円形、長方形等の部分開口形、全面開口形と自由である。
【００３５】
この実施例において、ファン２が回転して吸込口５より空気を吸い込むことにより、薬剤保持体１６の流入側の通気孔１９から流入された空気が薬剤保持体１６内を通ってこれの流出側の通気孔２０より流出して吸込口５、吹出口６に至るＵ字状の流路を経て外部へ吹き出され、この間に薬剤保持体１６内の揮散薬剤が混入され、これが外部に放散される。
【００３６】
このときの薬剤保持体１６を通る空気は流入側の通気孔１９より流入して薬剤保持体１６の長手方向を通ってからＬ字状に屈曲して流出側の通気孔２０より流出するため、これの経路は薬剤保持体１６の厚さ寸法より長くなり、従って薬剤保持体１６内を通る空気はその分長い時間にわたって揮散性薬剤に接触することにより、流通空気量に比較して薬剤の揮散量が多くなる。
【００３７】
図２は本発明の第２の実施例を示すもので、装置本体１５ａの吸込口５は上端を流入側の通気口１９にて開放すると共に下端に通気孔を設けた薬剤収納室１７ａの下端部に対向する位置に設けてあり、薬剤保持体１６ａはこれの下端が吸込口５の上辺部より上側位置になるまで挿入されるようになっている。そして薬剤保持体１６ａの下端面に流出側の通気孔２０が設けてある。
【００３８】
この実施例にあっては、ファン２の回転による空気流は薬剤保持体１６ａの上端に設けられた流入側の通気孔１９から薬剤保持体１６ａの全長を通って流出側の通気孔２０より薬剤収納室１７ａの下部の空間に至り、ここから吸込口５を通るＵ字状の経路を経て吹出口６より外部に吹き出される。そしてこの間に薬剤保持体１６ａ内の揮散薬剤が混入され、これが外部に放散される。
【００３９】
図３（ａ），（ｂ）は本発明の第３の実施例を示すもので、装置本体１５ｂの吸込口５の外側に設けられた薬剤収納室１７ｂに薬剤保持体１６ｂが摺動可能に、かつ挿入途中の任意の位置にて摩擦力等により停止可能に、かつ装置本体１５ｂの吸込口５を横切る方向に挿入されている。そして薬剤保持体１６ｂはこれの上端に流入側の通気孔１９が、また下端に流出側の通気孔２０が開口してある。この実施例における薬剤保持体１６ｂは中空になっていて、これに揮散性薬剤を含浸、あるいは内面塗布したものを用いた。
【００４０】
この実施例にあっては、ファン２の回転により、薬剤保持体１６ｂに含浸あるいは内面に付着した揮散性薬剤より揮散された薬剤が装置本体１５ｂの吹出口６より放散される。このとき、薬剤保持体１６ｂの薬剤収納体１７ｂ内への挿入深さにより吸込口５の開口面積が変えられて上記揮散薬剤の放散量が調節される。最も深く挿入した状態では吸込口５は完全に閉じられて、薬剤の放散が停止される。
【００４１】
なおこの実施例においても、薬剤保持体１６ｂは、これの中に薬剤担持体を充填したものを用いてもよい。
【００４２】
図４（ａ），（ｂ）は本発明の第４の実施例を示すもので、装置本体１５ｃの吸込口５ａに、薬剤保持体１６ｃの側面の一部に設けた筒状部２１が嵌合することにより薬剤保持体１６ｃが装置本体１５ｃに係脱可能に係合保持されるようになっている。そしてこの薬剤保持体１６ｃの上端に流入側の通気孔１９が、また筒状部２１の先端に流出側の通気孔２０が設けてある。
【００４３】
この実施例においてはファン２の回転により、薬剤保持体１６ｃの流入側の通気孔１９より流入された空気は薬剤保持体１６ｃにて揮散された薬剤と共に筒状部２１の流出側の通気孔２０を通って装置本体１５ｃ内に吸い込まれ、ついで吹出口６より吹き出される。
【００４４】
この第４の実施例のものでは、薬剤収納室が不要となるため、装置の構造を簡素化でき、装置本体のコストダウンが可能となる。なお、その反面、薬剤保持体１６ｃの取り扱いに注意を要することから専門業者向けに有利である。
【００４５】
図５（ａ），（ｂ）は本発明の第５の実施例を示すもので、図２に示した実施例と同様に、装置本体１５ｄの吸込口５は上端を開放すると共に下端に通気孔２２を設けた薬剤収納室１７ｃの下端部に対向する位置に設けてあり、揮散性薬剤を含浸し、板状に形成された薬剤保持体１６ｄはこれの下端が吸込口５の上辺部より上側位置になるまで挿入されるようになっている。薬剤収納室１７ｃの下側には吸込口５に連通する流路となる空間２２ａが設けてあり、薬剤収納室１７ｃから流入した空気がこの空間２２ａを経由してから吹出口６より外部へ放出されるようになっている。
【００４６】
この例における薬剤保持体１６ｄは上記薬剤収納室１７ｃの短い方の幅より薄い板状になっていると共に、これの横幅より広くなっていて、図６（ａ）に示すように、薬剤収納室１７ｃの横幅方向の対向面に設けた溝２３，２３に嵌合し、厚さ方向両側に通気用の空間を有して係合するようになっている。薬剤収納室１７ｃの下側には吸込口５を有する空間２２ａが設けてあり、薬剤収納室１７ｃから流入した空気がこの空間２２ａを経由してから吹出口６より外部へ放出されるようになっている。
【００４７】
図６（ａ）に示した構成では、薬剤保持体１６ｄは溝２３，２３に嵌合することにより、この薬剤保持体１６ｄががたつくことなく薬剤収納室１７ｃ内に収納されるようにしたが、この薬剤保持体１６ｄががたつくことなく薬剤収納室１７ｄ内に収納するための手段としては、図６（ｂ）に示すように、薬剤収納室１７ｄの少なくとも一方の内面に突条２４を空気の流れ方向に設けてもよく、また、図６（ｃ）に示すように、薬剤保持体１６ｅの少なくとも一側面に突条２５を空気の流れ方向に設け、これを薬剤収納室１７ｅ内に収納するようにしてもよい。
【００４８】
この第５の実施例では、薬剤保持体１６ｄ，１６ｅの全周面から薬剤が揮散し、自然状態下でも多量に揮散してしまう。このため、この自然状態下での薬剤の揮散量を抑制するために、薬剤収納室１７ｃ，１７ｄ，１７ｅの内面との間の空間を小さくして用いる。また、これの揮散面が全周面であることにより、単位面積当たりの揮散量は少なくてもよく、実質的に長時間にわたる揮散が可能となる。
【００４９】
上記各実施例では、ファン２が軸方向から吸い込み、円周方向外側へ吹き出すようにした構成になっている例を示したが、例えば軸流ファンを用いて、軸方向一方から吸い込み、軸方向他方へ吹き出すようにし、吸込口と吹出口の双方を軸方向両側に設けるようにしてもよい。
【００５０】
また、上記各実施例では、各薬剤保持体１６，１６ａ，１６ｂ，１６ｃ，１６ｄ，１６ｅのそれぞれにおいて、ファン２による吸込側の空気流にさらされるようにした例を示したが、ファン２の構造を変えて、これの風の向きを逆にして吸込口５，５ａへ向けて送風し、上記薬剤保持体１６〜１６ｅが、ファン２による吹き出し側の空気流にさらされるようにしてもよい。なおこの場合、薬剤担持体１１を収納した薬剤保持体１６，１６ａ，１６ｂ，１６ｃの通気孔１９，２０の開口面積比はファン２に対向する方の通気孔２０の方を小さくする。
【００５１】
本発明の図１、図２、図４で示した各実施例において薬剤保持体１６，１６ａ，１６ｃ内に収納する薬剤担持体１１、及び図３、図５で示した実施例における薬剤保持体１６ｂ，１６ｄは、揮散性薬剤をよく保持し、また保持した薬剤を放散する材料、成形物であり、空気の流通がスムーズに行われる形状であればよく、特に限定されない。
【００５２】
例えば、薬剤保持体内に充填する薬剤担持体としては、紙、木材、樹脂、天然繊維、合成繊維、セラミックス、昇華物質、ワックス物質に揮散性薬剤を含浸、塗布、または混合したもので、粒条、球状、綿状、繊維状、スポンジ状、小片状、シート状、フィルム状、等の形状がある。
【００５３】
また、図３、図５、図６に示した薬剤保持体１６ｂ，１６ｄ，１６ｅは上記した材料にて板状に成形し、これに揮散性薬剤を含浸させたものが用いられる。
【００５４】
図７から図１１に本発明の第６の実施例を示す。図７（ａ）に示したものは図５で示した第５の実施例の変形例であり、ファン２の回転軸方向側に装置本体１５ｅに連通するための開口２６を有する仕切り板２７にて仕切られた空間２８が設けてある。そしてこの空間２８に、装置本体１５ｅの一側部に扁平箱状に設けた薬剤収納室１７ｆの下端が連通されている。
【００５５】
装置本体１５ｅの他側面には通気孔２９が多数設けてあり、ファン２の回転により、空間２８から空気が吸引され、通気孔２９から外部へ放出されるようになっている。
【００５６】
従って、薬剤収納室１７ｆ内に第５の実施例の場合と略同様の扁平板状の薬剤保持体１６ｆを挿入した状態でファン２を回転することにより、薬剤収納室１７ｆの入口から流入した空気中に薬剤収納室１７ｆ内の薬剤保持体１６ｆから揮散した薬剤が混入し、これが空気と共に空間２８、装置本体１５ｅ、通気孔２９を経て外部へ放散される。
【００５７】
このとき上記空気流が空間２８を経由することにより、この空間２８内で空気流が緩衝される。
【００５８】
この実施例における薬剤保持体１６ｆは、これ自体に通気孔がない場合には、図７（ａ）に示すように扁平箱状に形成された薬剤収納室１７ｆに、これの厚さ方向の少なくとも一方に小さな隙間を有して挿入される。そしてこのときの薬剤収納室１７ｆの内側形状としては図６（ａ），（ｂ）に示した第５の実施例のものと同様に、薬剤保持体１６ｆが嵌合する溝２３を設け、あるいは空気の流れ方向に突条２５を設けたものが考えられる。また、薬剤保持体１６ｆの形状を図６（ｃ）に示したようにしてもよい。また図７（ｂ）に示すように、これの少なくとも一側に多数の扁平突起３０を設けてもよい。
【００５９】
一方この第６の実施例においても、上記した各実施例と同様に通気性を有する薬剤保持体を用いることができる。この場合の薬剤担持体としてはビーズ状等の粒状体、あるいは不織布等が用いられる。
【００６０】
この場合、図８（ａ）に示すように、上下を開放して内部に不織布を用いた薬剤担持体１１を充填した薬剤保持体１６ｇや、図８（ｂ）に示すように上下の端面に通気孔３１を設け、内部に粒状体あるいは不織布を用いた薬剤担持体を充填した薬剤保持体１６ｈが用いられる。
【００６１】
さらに図８（ｃ）に示すようにかご状にし、これに不織布を用いた薬剤担持体を充填するようにした薬剤保持体１６ｉを用いてもよい。
【００６２】
この第６の実施例において、薬剤保持体１６ｆを複数個用いる構成にしてもよい。図９に示したものは、装置本体１５ｆの両側に薬剤収納室１７ｆ，１７ｆを設け、これのそれぞれに薬剤保持体１６ｆを挿入するようになっている。この場合の薬剤放散用の通気孔は装置本体１５ｆの図示してない側面に設ける。
【００６３】
また、図１０（ａ）に示したものは、薬剤収納室１７ｇに２枚（複数枚）の薬剤保持体１６ｆを挿入する構成になっている。この場合、両薬剤保持体１６ｆ，１６ｆが接触しないようにするために、図１０（ｂ）に示すように、それぞれが挿入される薬剤収納室１７ｆ，１７ｆを個々に設けてもよく、図１０（ｃ）に示すようにそれぞれが嵌合する溝３２，３２を設けてもよい。
【００６４】
図１１（ａ）、（ｂ）、（ｃ）は装置本体の形状及び薬剤収納室の形状の他例を示すもので、図１１（ａ）は、装置本体１５ｇの一側面を湾曲させ、これの形状に沿わせてＵ字状の形状に薬剤収納室１７ｈを設けた例を示し、図１１（ｂ）は、湾曲部に半月状の薬剤収納室１７ｉを設けた例を示し、さらに図１１（ｃ）は対向する２辺部に扁平箱状の薬剤収納室１７ｊ，１７ｊを、そして湾曲部に半月状の薬剤収納室１７ｉを設けた例を示す。
【００６５】
そしてこの各例における各薬剤収納室に、これに合う形状の薬剤保持体を収納する。
【００６６】
本発明に用いるファン２としては、複数枚の傾斜羽根を駆動軸に放射状に設けたプロペラファンで送風を行う軸流式送風機、駆動軸に平行な方向に多数の羽根を円筒状に設け、駆動軸と直行する方向へ送風を行う多翼式送風機（シロッコファン）などが例示でき、音が少ない、電池で駆動が可能であることから一般家庭用としては好ましい。ただし、広い場所での使用、作業を早めるなどを要求される業務用の場合は、前記送風機に限定されず商用電源、または充填式を想定して送風機を採用することができる。
【００６７】
また、上記ファンの送風として、風量が５〜５００Ｌ／分の範囲である。使用用途、使用薬剤などに応じて最適な風量を設定する。
【００６８】
上記各図に示した各実施例における装置は、図示した構成及び各部の大きさ、形状は特に限定されるものではない。
【００６９】
また、上記揮散性薬剤としては、従来より用いられている殺虫、害虫忌避、成長制御などの害虫防除剤、あるいは消臭、芳香、防菌、防黴等に用いられる各種の薬剤が挙げられる。その具体例としては次のようなものが例示できる。
【００７０】
（害虫防除剤）
ピレスロイド系殺虫剤：アレスリン、ｄｌ・ｄ−Ｔ８０−アレスリン、ｄｌ・ｄ−Ｔ−アレスリン、ｄ・ｄ−Ｔ−アレスリン、ｄ・ｄ−Ｔ８０−プラレトリン、レスメトリン、ｄｌ・ｄ−Ｔ８０−レスメトリン、エンペントリン、テラレスリン、トランスフルスリン、フラメトリン、フェノトリン、エトフェンプロックス、テフルスリン、フェンフルスリン等
【００７１】
このほかに、害虫成長制御剤としてピリプロキシフェン、メトプレン、ハイドロプレン、フェノキシカルプ等が、また、害虫忌避剤としてディート、ジメチルフタレート、ジブチルフタレート、２−エチル−１，３−ヘキサンジオール、ｐ−ジクロルベンゼン、カプリン酸ジエチルアミド、カンファー等が、さらに、機能性天然精油に、アニス油、オレンジ油、カシア油、グレープフルーツ油、シソ油、クローブ油、シトロネラ油、シナモン油、ハッカ油、ヒバ油、ヒノキ油、ペパーミント油、ユーカリ油、レモングラス油、ゼラニウム油、フェンネル油等である。
【００７２】
（消臭剤）
シトロネラ油、レモングラス油、ボルニルアセテート、安息香酸メチル、安息香酸エチル、フェニル酢酸エチル等。
【００７３】
（香料）
動物性、植物性の天然香料、或いは炭化水素、アルコール、アルデヒド、ケトン、ラクトン、オキシド、エステル類等の人工香料。
【００７４】
（防菌防黴剤）
エチルアルコール、イソプロピルアルコール、フェノール、チモール、ｏ−フェニルフェノール、ヒノキチアゾール等。
【００７５】
【発明の効果】
本発明の請求項１及び２に係る揮散性薬剤の送風放散装置によれば、薬剤保持体を通る空気の流通経路が長くなり、従って薬剤保持体内を通る空気はその間にわたって揮散性薬剤に接触することになって流通空気量に比較して薬剤の揮散量が多くなり、この薬剤保持体に設ける流入側及び放出側のそれぞれの通気孔の開口面積を小さくできる。
【００７６】
従って、この薬剤保持体を装置本体内に装着した状態での不使用時における薬剤の無駄な揮散が防止され、薬剤保持体の実施の使用可能時間を長くすることができる。
その上、薬剤保持体に設けたそれぞれの全体の通気孔の開口面積比を、薬剤保持体内へ空気が流入する方の通気孔の開口面積を、空気が流出する方の通気孔の開口面積より小さくしたことにより、流入側の通気口から流入される外気が薬剤保持体内を充満傾向で流れて、薬剤保持体内の全域に気流が行きわたり、薬剤は均一に、かつ効率的に放散されて薬剤保持体の実施の使用可能時間を長くすることができる。
【００７７】
そして請求項２に係る揮散性薬剤の送風放散装置によれば、薬剤保持体を薬剤収納室を用いることなく直接装置本体に装着できることにより、装置構造の簡素化を装置のコンパクト化を図ることができる。
【００７８】
また、請求項３及び５，６に係る揮散性薬剤の送風放散装置では、薬剤保持体の全長にわたって空気流が流通することができ、薬剤の揮散を効率よく行うことができる。
【００７９】
そして、請求項４に係る揮散性薬剤の送風放散装置によれば、薬剤保持体の係合の度合により薬剤保持体を通る流通空気量を変えることができ、薬剤の揮散量を調節することができる。
【００８１】
そしてさらに、請求項７に係る揮散性薬剤の送風放散装置によれば、薬剤保持体から揮散された薬剤を含む空気は吹出口より放散される前に空間内に流入してここで緩衝されて緩和な流れになり、上記揮散薬剤はバラツキが生じることなく均一に吹出口より放散することができる。
【図面の簡単な説明】
【図１】（ａ）は本発明の第１の実施例を概略的に示す断面図である。
（ｂ）は薬剤保持体を示す斜視図である。
【図２】本発明の第２の実施例を概略的に示す断面図である。
【図３】（ａ）は本発明の第３の実施例を概略的に示す断面図である。
（ｂ）は薬剤保持体を示す斜視図である。
【図４】（ａ）は本発明の第４の実施例を概略的に示す断面図である。
（ｂ）は薬剤保持体を示す斜視図である。
【図５】（ａ）は本発明の第５の実施例を概略的に示す断面図である。
（ｂ）は薬剤保持体を示す斜視図である。
【図６】（ａ）は図５のＡ−Ａ線に沿う断面図である。
（ｂ）は図５のＡ−Ａ線に沿う断面部分の他例を示す断面図である。
（ｃ）は図５のＡ−Ａ線に沿う断面部分の他例を示す断面図である。
【図７】（ａ）は本発明の第６の実施例を概略的に示す断面図である。
（ｂ）は薬剤保持体を示す斜視図である。
【図８】（ａ），（ｂ），（ｃ）は薬剤保持体の他の実施例を示す斜視図である。
【図９】本発明の第６の実施例の他例を概略的に示す断面図である。
【図１０】（ａ），（ｂ），（ｃ）は薬剤収納室の形態を示す説明図である。
【図１１】（ａ），（ｂ），（ｃ）は第６の実施例の変形例を示す斜視図である。
【図１２】（ａ）は従来例を概略的に示す断面図である。
（ｂ）は薬剤担持体の他例を示す断面図である。
【符号の説明】
１，１５，１５ａ，１５ｂ，１５ｃ，１５ｄ，１５ｅ，１５ｆ，１５ｇ…装置本体、２…ファン、３…モータ、４…電池、５，５ａ…吸込口、６…吹出口、７，１６，１６ａ，１６ｂ，１６ｃ，１６ｄ，１６ｅ，１６ｆ，１６ｇ，１６ｈ，１６ｉ…薬剤保持体、８，１７，１７ａ，１７ｂ，１７ｃ，１７ｄ，１７ｅ，１７ｆ，１７ｇ，１７ｈ，１７ｉ，１７ｊ…薬剤収納室、９…外気流入口、１０，１０ａ，１９，２０…通気孔、１１…薬剤担持体、１８…開放部、２１…筒状部、２２ａ，２８…空間。
【図１】
0004863421.tif 000002
【図２】
0004863421.tif 000003
【図３】
0004863421.tif 000004
【図４】
0004863421.tif 000005
【図５】
0004863421.tif 000006
【図６】
0004863421.tif 000007
【図７】
0004863421.tif 000008
【図８】
0004863421.tif 000009
【図９】
0004863421.tif 000010
【図１０】
0004863421.tif 000011
【図１１】
0004863421.tif 000012
【図１２】
0004863421.tif 000013